(57)【要約】【課題】作業中の漏水リスクを軽減しながら、短工期且つ高精度に屋上等の床構造に対して設備架台を増設することができる技術を提供する。【解決手段】防水層３が敷設された床構造１のスラブ２に設備架台２０の支柱２０Ａを設置して、当該支柱２０Ａの周囲に新規の防水層３３を設ける設備架台２０の増設方法であって、スラブ２における支柱２０Ａの設置箇所Ｘに対し、防水層３を撤去することなく当該防水層３を貫通させて複数のアンカー２５を打ち込むアンカー２５打ち込み工程と、アンカー２５打ち込み工程で打ち込んだ複数のアンカー２５に対し、防水層３から支柱２０Ａの下端部にあるベースプレート２１を浮かせた状態で、支柱２０Ａを固定する支柱固定工程と、支柱固定工程で固定した支柱２０Ａの周囲に新規の防水層３３を敷設する新規防水層敷設工程と、を行う。【選択図】図７
2020023826.tif 000002
【特許請求の範囲】
【請求項１】
防水層が敷設された床構造のスラブに設備架台の支柱を設置して、当該支柱の周囲に新規の防水層を設ける設備架台の増設方法であって、
前記スラブにおける前記支柱の設置箇所に対し、前記防水層を撤去することなく当該防水層を貫通させて複数のアンカーを打ち込むアンカー打ち込み工程と、
前記アンカー打ち込み工程で打ち込んだ複数のアンカーに対し、前記防水層から前記支柱の下端部にあるベースプレートを浮かせた状態で、前記支柱を固定する支柱固定工程と、
前記支柱固定工程で固定した前記支柱の周囲に前記新規の防水層を敷設する新規防水層敷設工程と、を行う設備架台の増設方法。
【請求項２】
前記支柱固定工程において、前記複数のアンカーに前記防水層から浮かせた状態で下ナットを螺合させ、当該下ナットの上に前記ベースプレートを設置する請求項１に記載の設備架台の増設方法。
【請求項３】
前記床構造が、前記防水層の上に押えコンクリートを敷設して構成されており、
前記アンカー打ち込み工程の前に、前記支柱の設置箇所及びその周囲における前記押えコンクリートの部分を、前記防水層を残した状態で撤去する押えコンクリート撤去工程を行い、
前記新規防水層敷設工程の後に、前記押えコンクリート撤去工程で撤去した前記支柱の設置箇所の周囲における前記押えコンクリートの部分を復旧させる押えコンクリート復旧工程を行う請求項１又は２に記載の設備架台の増設方法。
【発明の詳細な説明】
【技術分野】
【０００１】
本発明は、防水層が敷設された床構造のスラブに設備架台の支柱を設置して、当該支柱の周囲に新規の防水層を設ける設備架台の増設方法に関する。
【背景技術】
【０００２】
防水層が敷設された床構造のスラブ上に対し、設備架台の支柱を設置して、当該支柱の周囲に新規の防水層を設ける従来の設備架台の増設方法は、一般的に、スラブ上における支柱の設置箇所の防水層を撤去し、当該防水層が撤去されたスラブ上に対して支柱の下端部にあるベースプレートを間に調整モルタルを介在させた状態で載置し、スラブに打ち込んだ複数のアンカーにより当該ベースプレートを固定して行われる。
しかし、このような設備架台の増設方法では、防水層の撤去作業が必要となるため、工期の長期化や高コスト化の要因となる上に、作業中の漏水リスクが生じるという問題がある。そこで、従来の方法として、防水層を撤去することなく、防水層の上に基礎部材を設置し、その上に屋外設備の一部を載置すると共に、その周囲に新規の防水層を設ける設備架台の増設方法が提案されている（例えば、特許文献１を参照。）。
【先行技術文献】
【特許文献】
【０００３】
【特許文献１】特開２０１１−２３１４８１号公報
【発明の概要】
【発明が解決しようとする課題】
【０００４】
しかしながら、上記特許文献１に記載の方法では、防水層の上に基礎部材を設置するため、当該防水層が破損する可能性があり、更には、基礎部材の水平度やレベルを調整するための煩雑な作業が必要となる。
【０００５】
この実情に鑑み、本発明の主たる課題は、作業中の漏水リスクを軽減しながら、短工期且つ高精度に屋上等の床構造に対して設備架台を増設することができる技術を提供する点にある。
【課題を解決するための手段】
【０００６】
本発明の第１特徴構成は、防水層が敷設された床構造のスラブに設備架台の支柱を設置して、当該支柱の周囲に新規の防水層を設ける設備架台の増設方法であって、
前記スラブにおける前記支柱の設置箇所に対し、前記防水層を撤去することなく当該防水層を貫通させて複数のアンカーを打ち込むアンカー打ち込み工程と、
前記アンカー打ち込み工程で打ち込んだ複数のアンカーに対し、前記防水層から前記支柱の下端部にあるベースプレートを浮かせた状態で、前記支柱を固定する支柱固定工程と、
前記支柱固定工程で固定した前記支柱の周囲に前記新規の防水層を敷設する新規防水層敷設工程と、を行う点にある。
【０００７】
本構成によれば、既存の防水層を撤去することなくスラブに打ち込んだ複数のアンカーに対して支柱を固定するので、防水層の撤去作業を省略して工期の短期化及び低コスト化を実現することができる上に、作業中の漏水リスクを低減することができる。
更に、スラブに打ち込んだ複数のアンカーに対して、支柱の下端部にあるベースプレートを浮かせた状態で当該支柱を固定するので、スラブに敷設された防水層の破損を防止しながら、スラブやそれに敷設された防水層に影響を受けることなく、支柱のベースプレートの水平度やレベルの調整を簡単に行うことができる。
従って、本発明により、作業中の漏水リスクを軽減しながら、短工期且つ高精度に屋上等の床構造に対して設備架台を増設することができる設備架台の増設方法を提供することができる。
【０００８】
本発明の第２特徴構成は、前記支柱固定工程において、前記複数のアンカーに前記防水層から浮かせた状態で下ナットを螺合させ、当該下ナットの上に前記ベースプレートを設置する点にある。
【０００９】
本構成によれば、支柱固定工程において、スラブに打ち込んだ複数のアンカーに当該スラブ上の防水層から浮かせた状態で下ナットを螺合させ、その下ナットの上に支柱のベースプレートを設置するという構成を採用することで、スラブに打ち込んだ複数のアンカーに対してスラブ上の防水層から浮かせた状態で支柱のベースプレートを固定することができる。この場合、複数のアンカーに螺合された夫々の下ナットのレベルを各別に調整するだけで、その上に設置された支柱のベースプレートの水平度やレベルを簡単に調整することができる。
【００１０】
本発明の第３特徴構成は、前記床構造が、前記防水層の上に押えコンクリートを敷設して構成されており、
前記アンカー打ち込み工程の前に、前記支柱の設置箇所及びその周囲における前記押えコンクリートの部分を、前記防水層を残した状態で撤去する押えコンクリート撤去工程を行い、
前記新規防水層敷設工程の後に、前記押えコンクリート撤去工程で撤去した前記支柱の設置箇所の周囲における前記押えコンクリートの部分を復旧させる押えコンクリート復旧工程を行う点にある。
【００１１】
本構成によれば、支柱の設置箇所及びその周囲の押えコンクリートの部分が撤去された状態で、既存の防水層を撤去することなくスラブに打ち込まれたアンカーに対して固定された支柱の周囲に新規の防水層が敷設され、その後、撤去された支柱の設置箇所の周囲における押えコンクリートの部分が復旧されることになる。すると、支柱の周囲では、復旧された押えコンクリートにより保護された状態で、既存の防水層の上に新規の防水層が重なった状態となるので、それらの境界部分での漏水を確実に防止することができる。
【図面の簡単な説明】
【００１２】
【図１】設備架台の増設方法の流れを示すフロー図
【図２】押えコンクリート撤去工程後の支柱設置箇所の状態を表す図
【図３】アンカー打ち込み工程後の支柱設置箇所の状態を表す図
【図４】支柱固定工程後の支柱設置箇所の状態を表す図
【図５】モルタル充填工程後の支柱設置箇所の状態を表す図
【図６】新規防水層敷設工程後の支柱設置箇所の状態を表す図
【図７】押えコンクリート復旧工程後の支柱設置箇所の状態を表す図
【図８】設備架台の設置状態を示す図
【図９】支柱のベースプレートの平面図
【発明を実施するための形態】
【００１３】
本発明の実施形態について図面に基づいて説明する。
本実施形態の設備架台の増設方法（以下「本架台増設方法」と呼ぶ。）は、図８に示すように、屋上等の床構造１に重量機械等を設置するための設備架台２０を増設する方法として構成されている。
ここで、設備架台２０は、重量機械等が載置される枠体２０Ｂと、当該枠体の少なくとも四隅から下方に延びる支柱２０Ａとを有して構成されている。尚、この支柱２０Ａは、図７及び図９にも示すように、上下方向に延びるＨ形鋼からなる柱部２２と、その下端部に接合された平板状のベースプレート２１とを有して構成されている。尚、本実施形態では、柱部２２の下端面のベースプレート２１の上面を当接させた状態で、柱部２２の下端部にベースプレート２１が接合されている。しかし、このベースプレート２１の形態や支柱２０Ａの下端部への接続状態等については適宜変更することができ、例えば柱部２２の下端部の側面にベースプレート２１を外方に延出させる形態で接合しても構わない。
【００１４】
本架台増設方法は、詳細については後述するが、図７及び図８に示すように、防水層３が敷設された床構造１のスラブ２に設備架台２０の支柱２０Ａを設置して、当該支柱２０Ａの周囲に新規の防水層３３を設ける方法として構成されており、本架台増設方法では、図１に示すように、押えコンクリート撤去工程（ステップ＃１）と、アンカー打ち込み工程（ステップ＃２）と、支柱固定工程（ステップ＃３）と、モルタル充填工程（ステップ＃４）と、新規防水層敷設工程（ステップ＃５）と、押えコンクリート復旧工程（ステップ＃６）とが、記載の順に実行される。
以下、各工程の詳細について順に説明する。
【００１５】
（押えコンクリート撤去工程）
本架台増設方法の実行前の床構造１は、図２に示すように、コンクリート製のスラブ２の表面に防水層３が敷設されている。更に、この防水層３の表面には、押えコンクリート４が敷設されており、また、この押えコンクリート４の表面には適宜仕上材５が敷設されている。
そして、本架台増設方法では、先ずは押えコンクリート撤去工程（図１のステップ＃１）が実行される。この押えコンクリート撤去工程では、支柱２０Ａ（図８等参照）の設置箇所Ｘ及びその周囲における押えコンクリート４の部分４ａ更には仕上材５の部分５ａが、防水層３を残した状態で撤去される。このとき、押えコンクリート４及び仕上材５における撤去対象の部分４ａ，５ａの広さは、支柱２０Ａよりも若干大きいものとされる。
【００１６】
（アンカー打ち込み工程）
上記押えコンクリート撤去工程（図１のステップ＃１）の実行後には、アンカー打ち込み工程（図１のステップ＃２）が実行される。このアンカー打ち込み工程では、図３に示すように、スラブ２における支柱２０Ａの設置箇所Ｘに対し、防水層３を撤去することなく当該防水層３を貫通させて複数のアンカー２５が打ち込まれる。尚、本実施形態では、設置箇所Ｘ毎に一の支柱２０Ａ（図８等を参照）を固定するための４本のアンカー２５が打ち込まれる。また、防水層３におけるアンカー２５の貫通部周囲については、シール剤等により簡易な方法でアンカー打ち込み作業中の仮設的な防水処理が施される。
【００１７】
（支柱固定工程）
上記アンカー打ち込み工程（図１のステップ＃２）の実行後には、支柱固定工程（図１のステップ＃３）が実行される。この支柱固定工程では、図４に示すように、アンカー打ち込み工程で打ち込んだ複数のアンカー２５に対し、防水層３から支柱２０Ａの下端部にあるベースプレート２１を浮かせた状態で、支柱２０Ａが固定される。
具体的に、この支柱固定工程では、複数のアンカー２５に防水層３から浮かせた状態で下ナット２６が螺合され、当該下ナット２６の上にベースプレート２１が設置される。その状態で、複数のアンカー２５の夫々に螺合された下ナット２６の高さ位置を調整することで、ベースプレート２１の水平度やレベル等が調整される。そして、その調整が完了した段階で、複数のアンカー２５の夫々に座金２８及び上ナット２７が螺合され、当該上ナット２７が締め付けられる。すると、下ナット２６と上ナット２７との間にベースプレート２１を挟み込む形態で、当該ベースプレート２１がアンカー２５に固定されることになる。
【００１８】
即ち、本架台増設工程では、アンカー打ち込み工程において、図３に示すように既存の防水層３が撤去されることなくスラブ２に複数のアンカー２５が打ち込まれ、次の支柱固定工程において、図４に示すように複数のアンカー２５に対して支柱２０Ａが固定される。即ち、既存の防水層３の撤去作業が省略されているので、工期の短期化及び低コスト化が実現されている。更に、既存の防水層３が残ることで、作業中の漏水リスクが低減されている。
【００１９】
（モルタル充填工程）
上記支柱固定工程（図１のステップ＃３）の実行後には、モルタル充填工程（図１のステップ＃４）が実行される。このモルタル充填工程では、図５に示すように、スラブ２上に敷設された既存の防水層３と、その防水層３から上方に浮かせた状態でアンカー２５に固定されたベースプレート２１との間の隙間に無収縮モルタル３０が充填される。ここで、無収縮モルタル３０が充填される隙間の周囲は仮設の型枠３５により塞がれており、その型枠３５は、無収縮モルタル３０の固化後に撤去される。尚、本架台増設方法では、支柱２０Ａのベースプレート２１から伝達される荷重は下ナット２６を通じてアンカー２５により支持されるので、このモルタル充填工程を省略して防水層３とベースプレート２１との間の隙間をそのまま空間として残すようにしても構わない。この場合、アンカー２５はスラブ２から突出した構造となるため、地震時に設備架台２０から伝達されるせん断力によって生じる曲げモーメントに対して必要な耐力を有するようにアンカー２５等の設計を行うことが望ましい。
【００２０】
（新規防水層敷設工程）
上記モルタル充填工程（図１のステップ＃４）の実行後には、新規防水層敷設工程（図１のステップ＃５）が実行される。この新規防水層敷設工程では、図６に示すように、上述の支柱固定工程で固定した支柱２０Ａの周囲に新規の防水層３３が敷設される。
かかる新規の防水層３３は、支柱２０Ａの周囲において既存の防水層３の上面に敷設される環状の平面部３３ｂと、当該平面部３３ｂの中央部から支柱２０Ａの外周部に沿って立ち上げられる立上部３３ａとで構成される。
【００２１】
（押えコンクリート復旧工程）
上記新規防水層敷設工程（図１にステップ＃５）の実行後には、押えコンクリート復旧工程（図１のステップ＃６）が実行される。この押えコンクリート復旧工程では、図７に示すように、例えば、支柱２０Ａの設置箇所Ｘの周囲における新規の防水層３３の平面部３３ｂ上に押えコンクリート４の部分４ｂを打設し、その上に仕上材５の部分５ｂを敷設する形態で、上述の押えコンクリート撤去工程（図１のステップ＃１）で撤去した押えコンクリート４の部分４ｂ更には仕上材５の部分５ｂが復旧される。
【００２２】
そして、支柱２０Ａの設置箇所Ｘの周囲では、押えコンクリート復旧工程で復旧される押えコンクリート４の部分４ｂ等により保護された状態で、既存の防水層３の上に新規の防水層３３の平面部３３ｂが重なった状態で存在することになる。よって、それら既存の防水層３と新規の防水層３３との境界部分での漏水が確実に防止されることになる。
【００２３】
〔別実施形態〕
本発明の他の実施形態について説明する。尚、以下に説明する各実施形態の構成は、それぞれ単独で適用することに限らず、他の実施形態の構成と組み合わせて適用することも可能である。
【００２４】
（１）上記実施形態では、支柱固定工程（図４参照）において、複数のアンカー２５に螺合させた下ナット２６の上に支柱２０Ａのベースプレート２１を設置することで、複数のアンカー２５に対してスラブ２上の防水層３から浮かせた状態で支柱２０Ａのベースプレート２１を固定するように構成したが、当該複数のアンカー２５に対するベースプレート２１の固定方法については適宜改変しても構わない。
【００２５】
（２）上記実施形態では、アンカー打ち込み工程（図３参照）の実行前に押えコンクリート撤去工程（図２参照）を行い、新規防水層敷設工程（図６参照）の実行後に押えコンクリート復旧工程（図７参照）を行うように構成したが、既存の防水層３の上に押えコンクリートが存在しない場合等においては、これら押えコンクリート撤去工程及び押えコンクリート復旧工程を適宜省略しても構わない。
【符号の説明】
【００２６】
１          床構造
２          スラブ
３          防水層
４          押えコンクリート
４ａ，４ｂ  押えコンクリートの部分
２０        設備架台
２０Ａ      支柱
２１        ベースプレート
２５        アンカー
２６        下ナット
３３        防水層
Ｘ          設置箇所
【図１】
2020023826.tif 000003
【図２】
2020023826.tif 000004
【図３】
2020023826.tif 000005
【図４】
2020023826.tif 000006
【図５】
2020023826.tif 000007
【図６】
2020023826.tif 000008
【図７】
2020023826.tif 000009
【図８】
2020023826.tif 000010
【図９】
2020023826.tif 000011